(57)【要約】【課題】本体ケースの前面上にカバー部材をスライドさせるための構造を設ける必要のない配線用遮断器を提供する。【解決手段】本体ケース４の左側面に、本体ケース４の前面と平行な傾斜方向へ延びる案内溝１５を刻設するとともに、案内溝１５により、本体ケース４内において各端子孔５を前後で分断した。一方、案内溝１５内へ差し込み可能な板状の本体１１、案内溝１５から本体ケース４の前面までの距離だけ本体１１から離して設けられた摘まみ１２、及び本体１１と摘まみ１２とを連結する連結部１３を備えたカバー部材１０を設け、当該カバー部材１０を、本体１１を案内溝１５内へ差し込み、且つ、摘まみ１２を本体ケース４の前面上に位置させた状態で、案内溝１５に沿ってスライド可能に取り付けた。【選択図】図１
2020177736.tif 000002
【特許請求の範囲】
【請求項１】
本体ケースの上面に電路を開閉操作するハンドルが備えられ、前記本体ケースの後部に電源側端子が設けられている一方、前記本体ケースの前部に、端子金具が前記本体ケース内の収納空間に収納されているとともに、前記収納空間が前記本体ケースの前面に開口する端子孔を介して前記本体ケース外に連通しており、前記端子孔から負荷配線を挿入することで前記負荷配線と前記端子金具とが接続される速結端子で構成された負荷側端子が設けられており、単相三線式電路に使用可能とされた配線用遮断器であって、
前記本体ケースの前面に、前記端子孔が上下方向へ並べて配置されているとともに、前記本体ケースの側面に、前記本体ケースの前面と平行な方向へ延びる案内溝が刻設され、前記案内溝により、前記本体ケース内において前記端子孔が内外方向で分断されている一方、
前記案内溝内へ差し込み可能な板状の本体、前記案内溝から前記本体ケースの前面までの距離だけ前記本体から離して設けられた摘まみ、及び前記本体と前記摘まみとを連結する連結部を備えたカバー部材が、前記本体を前記案内溝内へ差し込み、且つ、前記摘まみを前記本体ケースの前面上に位置させた状態で、前記案内溝に沿ってスライド可能に設けられており、
前記カバー部材をスライドさせ、前記本体を前記案内溝内における前記端子孔の分断箇所に位置させることによって、前記端子孔のうちの何れか１つを選択的に閉塞可能であることを特徴とする配線用遮断器。
【請求項２】
前記本体ケースの前面に、絶縁抵抗測定試験を行うための計器の測定端子を差し込み可能な差込孔が、各前記速結端子毎に対応して前記端子孔の近傍に開設されているとともに、前記案内溝により、前記本体ケース内において前記差込孔が内外方向で分断されている一方、
前記本体が、前記端子孔の分断箇所に位置させた際、当該端子孔に対応する前記差込孔の分断箇所にも位置し得る大きさとされており、
前記本体により前記端子孔と該端子孔に対応する前記差込孔とを同時に閉塞可能であることを特徴とする請求項１に記載の配線用遮断器。
【発明の詳細な説明】
【技術分野】
【０００１】
本発明は、たとえば分電盤内等に設置される配線用遮断器に関するものである。
【背景技術】
【０００２】
従来、単相三線式電路に使用される配線用遮断器としては、本体ケースの前面に複数の速結端子で構成される負荷側端子が、後面に電源側端子が夫々配置されているとともに、本体ケースの前面において、速結端子が上下方向へ一列に並べて配列された薄型のものが考案されている。そして、そのような配線用遮断器では、誤結線の防止を図るべく、使用しない速結端子を覆うカバー部材を設けた方が望ましい。そこで、たとえば特許文献１に記載の発明では、本体ケースの前面に、速結端子の並列方向へ沿って延びる支持壁を、速結端子の左右両側に夫々設けるとともに、当該支持壁間に速結端子を被覆／露出させるためのカバー部材を取り付け、カバー部材を支持壁に沿ってスライドさせることにより、所望の速結端子を被覆するようになっている。
【先行技術文献】
【特許文献】
【０００３】
【特許文献１】特開２００７−２８７５８２号公報
【発明の概要】
【発明が解決しようとする課題】
【０００４】
しかしながら、本体ケースの前面に、速結端子の並列方向へ沿って延びる一対の支持壁を設けるとなると、本体ケースの前面上にカバー部材をスライドさせるための構造を設けると、たとえば速結端子への負荷配線の挿入時に支持壁が邪魔になる等の問題が生じるおそれがある。
【０００５】
そこで、本発明は、上記問題に鑑みなされたものであって、本体ケースの前面上にカバー部材をスライドさせるための構造を設ける必要のない配線用遮断器を提供しようとするものである。
【課題を解決するための手段】
【０００６】
上記目的を達成するために、本発明のうち請求項１に記載の発明は、本体ケースの上面に電路を開閉操作するハンドルが備えられ、前記本体ケースの後部に電源側端子が設けられている一方、前記本体ケースの前部に、端子金具が前記本体ケース内の収納空間に収納されているとともに、前記収納空間が前記本体ケースの前面に開口する端子孔を介して前記本体ケース外に連通しており、前記端子孔から負荷配線を挿入することで前記負荷配線と前記端子金具とが接続される速結端子で構成された負荷側端子が設けられており、単相三線式電路に使用可能とされた配線用遮断器であって、前記本体ケースの前面に、前記端子孔が上下方向へ並べて配置されているとともに、前記本体ケースの側面に、前記本体ケースの前面と平行な方向へ延びる案内溝が刻設され、前記案内溝により、前記本体ケース内において前記端子孔が内外方向で分断されている一方、前記案内溝内へ差し込み可能な板状の本体、前記案内溝から前記本体ケースの前面までの距離だけ前記本体から離して設けられた摘まみ、及び前記本体と前記摘まみとを連結する連結部を備えたカバー部材が、前記本体を前記案内溝内へ差し込み、且つ、前記摘まみを前記本体ケースの前面上に位置させた状態で、前記案内溝に沿ってスライド可能に設けられており、前記カバー部材をスライドさせ、前記本体を前記案内溝内における前記端子孔の分断箇所に位置させることによって、前記端子孔のうちの何れか１つを選択的に閉塞可能であることを特徴とする。
また、請求項２に記載の発明は、請求項１に記載の発明において、前記本体ケースの前面に、絶縁抵抗測定試験を行うための計器の測定端子を差し込み可能な差込孔が、各前記速結端子毎に対応して前記端子孔の近傍に開設されているとともに、前記案内溝により、前記本体ケース内において前記差込孔が内外方向で分断されている一方、前記本体が、前記端子孔の分断箇所に位置させた際、当該端子孔に対応する前記差込孔の分断箇所にも位置し得る大きさとされており、前記本体により前記端子孔と該端子孔に対応する前記差込孔とを同時に閉塞可能であることを特徴とする。
なお、請求項１における「前記端子孔が上下方向へ並べて配置されている」とは鉛直方向に並べて配置することに限られない。たとえば本体ケースの前面が傾斜面である場合には、傾斜方向に沿った上下方向へ並べるとしても何ら問題はない。また、上下方向へ並べるにあたっては、平面視一直線上に並べることに限られず、たとえば本体ケースの前面上で左から徐々に右へというような斜め方向へ並べたり、中央の端子孔のみ右側にずらして並べたりしてもよい。
【発明の効果】
【０００７】
本発明によれば、本体ケースの側面に刻設された案内溝に沿ってカバー部材がスライドするため、本体ケースの前面上に支持壁等のスライド構造を設ける必要がない。したがって、従来よりも本体ケースの前面上の構造を簡素化することができ、端子孔への負荷配線の挿入等を容易に行うことができる。さらに、端子孔を開閉するカバー部材の本体が、本体ケース内に位置しているため、本体ケースの前面上にカバー部材の本体を設けたものと比べると、カバー部材の本体ケースの前側への突出量を抑えることができ、配線用遮断器の小型化を図ることができる。
また、請求項２に記載の発明によれば、カバー部材の本体を、端子孔の分断箇所に位置させた際、当該端子孔に対応する差込孔の分断箇所にも位置し得る大きさとし、本体により端子孔と該端子孔に対応する差込孔とを同時に閉塞可能としている。したがって、１つのカバー部材で端子孔及び差込孔を閉塞することができるため、従来よりも端子孔及び差込孔の被覆／露出に係る構造を簡易化することができ、配線用遮断器の更なる小型化を図ることができる。
【図面の簡単な説明】
【０００８】
【図１】２００Ｖの出力が得られる状態にある配線用遮断器を示した斜視説明図である。
【図２】図１と同状態にある配線用遮断器を側方から示した説明図である。
【図３】カバー部材を示した説明図である。
【図４】図２中のＡ−Ａ線断面を示した説明図である。
【図５】本体ケースの前側の内部を示した説明図である。
【図６】１００Ｖの出力が得られる状態にある配線用遮断器を示した斜視説明図である。
【発明を実施するための形態】
【０００９】
以下、本発明の一実施形態となる配線用遮断器について、図面にもとづき詳細に説明する。
図１は、２００Ｖの出力が得られる状態にある配線用遮断器１を示した斜視説明図である。図２は、図１と同状態にある配線用遮断器１を側方から示した説明図である。図３は、カバー部材１０を示した説明図である。図４は、図２中のＡ−Ａ線断面を示した説明図である。図５は、本体ケース４の前側の内部を示した説明図である。図６は、１００Ｖの出力が得られる状態にある配線用遮断器１を示した斜視説明図である。なお、負荷側端子３側を配線用遮断器１の前側として説明する。
【００１０】
単相三線式電路に使用される配線用遮断器１は、合成樹脂製の左ケース４ａと右ケース４ｂとを組み立ててなる本体ケース４を有しており、本体ケース４の上面には、ハンドル７が前後方向へ回動操作可能に設けられている。そして、ハンドル７を回動操作することで、本体ケース４内に組み込まれている図示しない遮断機構が作動し、後述する電源側端子２と負荷側端子３とを電気的につなぐ電路が接続／開放されるようになっている。なお、本体ケース４内には、図示しない過電流検知機構も設けられており、過電流を検知すると上記遮断機構が開動作するようになっている。
【００１１】
また、配線用遮断器１の後面には、プラグイン方式の端子Ｐ１、Ｐ２、Ｐ３を上下方向へ一列に備えてなる電源側端子２が配置されている。各端子Ｐ１〜Ｐ３は、本体ケース４を左右方向に貫通したコ字状に切り欠いて形成されており、分電盤内等に配設される電源ラインである導体バー（図示せず）や該導体バーから分岐された分岐バー（図示せず）を挿入接続可能となっている。
【００１２】
一方、配線用遮断器１の前面は、前側へ向かって下降傾斜する傾斜面に形成されており、該傾斜面には、負荷配線（図示せず）を挿入接続可能な３つの端子Ｌ１、Ｌ２、Ｌ３を傾斜方向へ一列に備えてなる負荷側端子３が配置されている。各端子Ｌ１〜Ｌ３は、本体ケース４の前面に開口しており、本体ケース４前面の傾斜方向に直交する方向へ負荷配線を挿入可能な端子孔５と、本体ケース４における端子孔５の内側となる位置に設けられ、端子孔５を介して本体ケース４外に連通する収納空間２１と、該収納空間２１内に設置され、端子孔５を介して挿入された負荷配線に接触可能とされた端子金具８とを有しており、所謂速結端子として機能するようになっている。また、各端子Ｌ１〜Ｌ３では、端子孔５の上側に隣接して、絶縁抵抗測定試験を行うための計器の測定端子を差し込み可能な差込孔６が開設されている。各差込孔６は、測定端子の差し込み方向が上下方向となるように、すなわち負荷配線の挿入方向とは異なる方向となるように開設されており、端子金具８が収納される収納空間２１に連通している。さらに、収納空間２１の上部には、差込孔６の下側に隣接した端子孔５へ差し込まれる負荷配線に接触可能とされた測定用金具９が配置されている。該測定用金具９の前端部は差込孔６内に露出しており、差込孔６に差し込まれた測定端子の先端が接触可能となっている。
【００１３】
さらに、配線用遮断器１の前面には、端子Ｌ１〜Ｌ３のうち使用しない端子孔５及び差込孔６を閉塞して、端子孔５への負荷配線の挿入や差込孔６への測定端子の差し込みを阻止するカバー部材１０と、閉塞する端子孔５及び差込孔６を変更する際にカバー部材１０のスライドを案内するための案内部とが設けられている。
【００１４】
ここで、本発明の要部となるカバー部材１０及び案内部について説明する。
まずカバー部材１０について説明すると、カバー部材１０は、板状の本体１１と、本体１１から前方へ所定の距離を隔てた位置にある摘まみ１２と、本体１１及び摘まみ１２を連結する連結部１３とを備えた合成樹脂製の部材である。本体１１は、上下方向に長いカバー部１１ａと、カバー部１１ａの上下方向で中央から左側へ延びる基部１１ｂとを有する。カバー部１１ａは、左右幅が端子孔５の直径と略同じで、上下長さが一組の端子孔５及び差込孔６を同時に閉塞可能な長さとされた正面視略矩形の板体であり、カバー部１１ａの左側縁で、基部１１ｂの上下両側には、左側へ突出する弾性片１４が夫々設けられている。各弾性片１４は、カバー部１１ａに対して左側へ向かって徐々に後方へ傾斜する傾斜姿勢とされており、後述する係止凹部１６に係止することで、カバー部材１０を本体ケース４の前面側で保持する保持部として機能するようになっている。摘まみ１２は、基部１２ｂと、基部１２ｂから前方へ突設された摘まみ部１２ａとを有している。そして、該摘まみ１２は、基部１１ｂ、１２ｂ同士を連結する連結部１３を介して、後述する案内溝１５から本体ケース４の前面までの距離と同じ距離だけ、本体１１から前方へ離されて設けられている。
【００１５】
一方、案内部は、本体ケース４の左側面に刻設され、本体ケース４の前面と平行な傾斜方向へ延びる案内溝１５と、案内溝１５内に設けられた係止凹部１６とを有してなる。案内溝１５は、本体ケース４の左側面（左ケース４ａの表面）に開口する溝で、深さ（左右方向での深さ）はカバー部材１０の本体１１の左右長さ（カバー部１１ａと基部１１ｂとを合わせた左右長さ）と略同じとなっており、右ケース４ｂ内まで、詳しくは本体ケース４の前面に開設された端子孔５の右端よりも更に右側まで達している。また、案内溝１５の厚み（本体ケース４の前面に直交する方向での厚み）は、本体１１の厚みと略同じとなっている。さらに、案内溝１５は、本体ケース４の前面に直交する方向において、本体ケース４の前面から連結部１３の長さと同じ長さだけ本体ケース４内側に設けられており、各端子孔５を前後に、各差込孔６を上下に夫々分断している（すなわち、端子孔５、差込孔６共に、案内溝１５によって本体ケース４の内外方向で分断されている）。加えて、案内溝１５の下面には、弾性片１４、１４の左右長さと略同じ左右幅にわたって下方へ凹ませてなる係止凹部１６が、案内溝１５が延びる傾斜方向に延設されている。なお、左ケース４ａの表面で、案内溝１５よりも前側となる箇所は、案内溝１５よりも後側となる箇所に比べて連結部１３の厚みと略同じだけ凹んでおり、後述するようにしてカバー部材１０を案内部に取り付けた際、カバー部材１０の連結部１３における表面と左ケース４ａの表面とが略面一となるように構成されている。
【００１６】
そして、上記カバー部材１０を案内部に取り付けるにあたっては、弾性片１４、１４が係止凹部１６内に位置し、且つ、摘まみ１２が本体ケース４の前面上に位置するまで、案内溝１５の開口からカバー部材１０の本体１１（特にカバー部１１ａ）を案内溝１５内へ押し込めば良い。該押し込みに伴い、弾性片１４、１４は、本体１１と略平行な姿勢へと姿勢を変えるものの、係止凹部１６への到達をもって傾斜姿勢に復帰する。すると、弾性片１４、１４の先端と、案内溝１５と係止凹部１６との段差とが対向することで、本体１１の案内溝１５からの抜け止めがなされ、カバー部材１０の案内部への取り付けが完了となる。
【００１７】
また、上述の如くして取り付けられているカバー部材１０を傾斜方向で上側若しくは下側へ操作すると、弾性片１４、１４が係止凹部１６内に位置したまま、本体１１が案内溝１５内を上側若しくは下側へスライドすることになり、カバー部材１０の本体ケース４の前面側における位置を任意に変更することができる。
【００１８】
上述したような配線用遮断器１では、次のようにして出力電圧の切り換えがなされる。まず電源側端子２では、上部の端子Ｐ１が中性接続端子、下部二端子Ｐ２、Ｐ３が電圧端子とされている。一方、負荷側端子３では、中央の端子Ｌ２が中性線接続端子とされており、負荷側端子３の端子Ｌ１−Ｌ３間に負荷配線を接続した場合には、２００Ｖの出力を得ることができるようになっている。そこで、２００Ｖの出力を得たい場合には、カバー部材１０の位置を、摘まみ１２が端子Ｌ２の左側にあるような位置とすればよい（図１）。すると、端子Ｌ２に対応する端子孔５及び差込孔６内にカバー部材１０のカバー部１１ａが位置して、端子孔５及び差込孔６が閉塞される。したがって、端子Ｌ２に関して、負荷配線の端子孔５への挿入や測定器具の差込孔６への差し込みを防ぐことができる。
【００１９】
一方、負荷側端子３の端子Ｌ１−Ｌ２、或いは端子Ｌ２−Ｌ３に負荷配線を接続すると１００Ｖの出力を得ることができるようになっている。そこで、１００Ｖの出力を得たい場合には、たとえばカバー部材１０の位置を、摘まみ１２が端子Ｌ３の左側にあるような位置とすればよい（図６）。したがって、たとえば図１に示すような位置にカバー部材１０があったとすると、当該カバー部材１０を傾斜方向下側へ移動させる。そして、端子Ｌ３に対応する端子孔５及び差込孔６内にカバー部材１０のカバー部１１ａを位置させ、端子孔５及び差込孔６を閉塞すればよい。
【００２０】
以上のような構成を有する配線用遮断器１によれば、本体ケース４の左側面に、本体ケース４の前面と平行な傾斜方向へ延びる案内溝１５を刻設するとともに、案内溝１５により、本体ケース４内において各端子孔５を前後で分断した。一方、案内溝１５内へ差し込み可能な板状の本体１１、案内溝１５から本体ケース４の前面までの距離だけ本体１１から離して設けられた摘まみ１２、及び本体１１と摘まみ１２とを連結する連結部１３を備えたカバー部材１０を設け、当該カバー部材１０を、本体１１を案内溝１５内へ差し込み、且つ、摘まみ１２を本体ケース４の前面上に位置させた状態で、案内溝１５に沿ってスライド可能に取り付けた。そして、カバー部材１０をスライドさせ、本体１１を案内溝１５内における端子孔５の分断箇所に位置させることによって、各端子Ｌ１〜Ｌ３毎に対応して設けられた３つある端子孔５、５・・のうちの何れか１つを選択的に閉塞可能としている。したがって、従来よりも本体ケース４の前面上の構造を簡素化することができ、端子孔５への負荷配線の挿入等を容易に行うことができる。さらに、端子孔５、５・・を開閉するカバー部材１０の本体１１が、本体ケース４内に位置しているため、本体ケース４の前面上にカバー部材１０の本体１１を設けたものと比べると、カバー部材１０の本体ケース４の前側への突出量を抑えることができ、配線用遮断器１の小型化を図ることができる。
【００２１】
また、カバー部材１０の本体１１を、端子孔５の分断箇所に位置させた際、当該端子孔５に対応する差込孔６の分断箇所にも位置し得る大きさとし、本体１１により端子孔５と該端子孔５に対応する差込孔６とを同時に閉塞可能としている。したがって、１つのカバー部材１０で端子孔５及び差込孔６を閉塞することができるため、従来よりも端子孔５及び差込孔６の被覆／露出に係る構造を簡易化することができ、配線用遮断器１の更なる小型化を図ることができる。
【００２２】
さらに、本体１１に、該本体１１に対して所定方向へ傾斜する弾性片１４、１４を設ける一方、案内溝１５内に傾斜姿勢にある弾性片１４、１４が入り込み可能な係止凹部１６を設けており、案内溝１５と係止凹部１６との段差とが対向することで、本体１１の案内溝１５からの抜け止めがなされるようにした。したがって、カバー部材１０の不用意な脱落を防止することができるし、当該脱落防止に係る構造についても本体ケース４内に設けられているため、本体ケース４の前面上の構造の一層の簡素化を図ることができるのは勿論、配線用遮断器１の一層の小型化を図ることができる。
【００２３】
なお、本発明の配線用遮断器に係る構成は、上記実施形態の態様に何ら限定されるものではなく、配線用遮断器の全体的な構造は勿論、カバー部材やカバー部材の位置変更に係る構成等についても、本発明の趣旨を逸脱しない範囲で、必要に応じて適宜変更することができる。
【００２４】
たとえば、上記実施形態では、本体ケースの前面を傾斜面としているが、垂直面としてもよく、そのような垂直面に、たとえば後方へ向けて負荷配線を挿入するような端子孔を有する負荷側端子を設けることも可能である。
また、たとえば本体ケースの前面で端子孔を上下方向へ並べるにあたり、上記実施形態では平面視一直線上に並べているが、たとえば本体ケースの前面上で左から徐々に右へというような斜め方向へ端子孔を並べたり、中央の端子孔のみ右側にずらして並べたりしてもよい。そうすることで、本体ケースの左右幅方向の厚みが増すことになるが、負荷側端子の視認性の向上を図ることができる。
【００２５】
さらに、上記実施形態では、差込孔への測定端子の差し込み方向が、端子孔への負荷配線の挿入方向と異なるように差込孔を開設しているが、測定端子の差し込み方向と負荷配線の挿入方向とを同方向としてもよい。
さらにまた、上記実施形態では、カバー部材により端子孔と差込孔との両方を開閉するように構成しているが、少なくとも端子孔を開閉できればよく、差込孔については別のカバー部材で開閉するようにしてもよい。
【００２６】
またさらに、上記実施形態では、本体ケースの左側面に案内溝を刻設しているが、言うまでもなく本体ケースの右側面に案内溝を刻設することは可能であるし、カバー部材の案内溝からの抜け止めに係る構造についても適宜設計変更可能である。
加えて、上記実施形態では、端子Ｐ１、Ｌ２を中性極としているが、どの端子を中性極とするかは適宜変更可能である。
【符号の説明】
【００２７】
１・・配線用遮断器、２・・電源側端子、３・・負荷側端子、４・・本体ケース、５・・端子孔、６・・差込孔、７・・ハンドル、１０・・カバー部材、１１・・本体、１１ａ・・カバー部、１１ｂ・・基部、１２・・摘まみ、１２ａ・・摘まみ部、１２ｂ・・基部、１３・・連結部、１４・・弾性片、１５・・案内溝、１６・・係止凹部、２１・・収納空間。
【図１】
2020177736.tif 000003
【図２】
2020177736.tif 000004
【図３】
2020177736.tif 000005
【図４】
2020177736.tif 000006
【図５】
2020177736.tif 000007
【図６】
2020177736.tif 000008